(57)【要約】【課題】安価で、生産性の良好な照光付回転型電気部品を提供する。【解決手段】本発明の照光付回転型電気部品は、操作部６の回転により操作される回転検出ユニットＫと、この回転検出ユニットＫの操作部側に積層される照光ユニットＳとを備え、照光ユニットＳは、一対の固定接点８が設けられたハウジング７と、固定接点８に摺接する一対の可動接点１１が設けられ、ハウジング７に対して回転可能に取り付けられた回転体１０と、この回転体１０に取り付けられ、可動接点１１に端子１１ｂが導通された１個の光源１３を有し、回転体１０が操作部６と共に回転可能となして、光源１３が回転するようにしたため、１個の光源１３で構成できて、従来に比して部品点数が少なく、安価で、生産性の良好なものが得られる。【選択図】        図２
2004265825.tif 000002
【特許請求の範囲】
【請求項１】
操作部の回転により操作される回転検出ユニットと、この回転検出ユニットの前記操作部側に積層される照光ユニットとを備え、前記照光ユニットは、一対の固定接点が設けられたハウジングと、前記固定接点に摺接する一対の可動接点が設けられ、前記ハウジングに対して回転可能に取り付けられた回転体と、この回転体に取り付けられ、前記可動接点に端子が導通された１個の光源を有し、前記回転体が前記操作部と共に回転可能となして、前記光源が回転するようにしたことを特徴とする照光付回転型電気部品。
【請求項２】
前記光源を保持するホルダを有し、このホルダが前記回転体に取り付けられたことを特徴とする請求項１記載の照光付回転型電気部品。
【請求項３】
前記回転体には前記ホルダを抱持する抱持部が設けられ、前記ホルダが前記抱持部によって取り付けられたことを特徴とする請求項２記載の照光付回転型電気部品。
【請求項４】
前記回転体と前記ハウジングを組み合わせるための取付部材を有し、前記回転体と前記ハウジングが前記取付部材によって一体化されて、前記照光ユニットが形成されたことを特徴とする請求項１から３の何れかに記載の照光付回転型電気部品。
【請求項５】
前記照光ユニットの中央部に設けられた挿通孔には、前記回転検出ユニットの前記操作部が挿通されて、前記照光ユニットが前記回転検出ユニットのケース上に積層されたことを特徴とする請求項４記載の照光付回転型電気部品。
【請求項６】
前記取付部材は、前記回転体と前記ハウジングを組み合わせるための第１の取付脚と、前記ケース側に延びて前記照光ユニットを取り付けるための第２の取付脚を有することを特徴とする請求項５記載の照光付回転型電気部品。
【請求項７】
前記固定接点はバネ性のある金属材からなる摺動片で形成されると共に、前記可動接点は円弧状の金属板で形成され、前記可動接点には、前記端子が半田付けされたことを特徴とする請求項１から６の何れかに記載の照光付回転型電気部品。
【請求項８】
前記操作部に取り付けられ、前記回転体と係合可能な操作部材を有し、前記回転体は、円周方向の長さの長い第１の係合部と、円周方向の長さの短い第２の係合部を有すると共に、前記操作部材は、円周方向の長さの長い第３の係合部と、円周方向の長さの短い第４の係合部を有し、前記第１，第３の係合部同士を係合すると共に、前記第２，第４の係合部同士を係合させるようにしたことを特徴とする請求項３から７の何れかに記載の照光付回転型電気部品。
【請求項９】
前記抱持部が一つの前記係合部として構成されたことを特徴とする請求項８記載の照光付回転型電気部品。
【発明の詳細な説明】
【０００１】
【発明の属する技術分野】
本発明は自動車のエアコン等に使用して好適な照光付回転型電気部品に関する。
【０００２】
【従来の技術】
従来の照光付回転型電気部品の図面を説明すると、図８は従来の照光付回転型電気部品を取り付けた状態を示す要部断面図、図９は従来の照光付回転型電気部品の分解斜視図、図１０は従来の照光付回転型電気部品に係り、照光ユニットの一部を切り欠いた平面図である。
【０００３】
次に、従来の照光付回転型電気部品の構成を図８〜図１０に基づいて説明すると、エンコーダからなる回転検出ユニット５１は、上面に凸部５２ａを有する箱形のケース５２と、このケース５２に取り付けられた軸受け部５３と、この軸受け部５３に挿通されて、回転可能に保持された軸からなる操作部５４と、ケース５２に取り付けられた引出端子５５で構成されている。
【０００４】
また、回転検出ユニット５１は、ここでは図示しないが、引出端子５５に導通した固定接点がケース５２内に設けられると共に、操作部５４に取り付けられた回転体、及びこの回転体に取り付けられた可動接点がケース５２内に収納された構成を有する。
【０００５】
そして、回転検出ユニット５１は、操作部５４を回転すると、回転体と可動接点が回転して、可動接点が固定接点上を摺動し、これによって、接点の切換を行なって、回転検出が行われるようになっている。
【０００６】
また、照光ユニット５６は、端子５７を取り付けた絶縁基板５８と、この絶縁基板５８に取り付けられたハウジング５９と、このハウジング５９に設けられた複数個のＬＥＤチップ６０と、このＬＥＤチップ６０を覆うように、ハウジング５９に取り付けられた光拡散板６１で構成されている。
【０００７】
そして、ハウジング５９は、複数個の区画室５９ａを有し、この各区画室５９ａには、絶縁基板５８にワイヤーボンディングされたＬＥＤチップ６０が収納されており、照光ユニット５６の中央部に設けられた挿通孔５６ａには、操作部５４が挿通されて、照光ユニット５６がケース５２上に積層されて、回転検出ユニット５１に組み合わされている。
【０００８】
また、回転検出ユニット５１と照光ユニット５６とが組み合わされる時、ケース５２に設けられた凸部５２ａが照光ユニット５６の下面に設けられた凹部（図示せずに）に嵌合した状態となっている。
【０００９】
このように構成された照光付回転型電気部品は、図８に示すように、引出端子５５と端子５７が導電パターンを有するプリント基板６２に取り付けられると共に、操作部５４に取り付けられた操作部材６３がパネル６４から突出すると共に、光拡散板６１がパネル６４から露出して配置される。
【００１０】
そして、操作部材６３の回転によって、回転検出ユニット５１の回転検出が行われると、ＬＥＤチップ６０の点灯が順次切換えられて、操作部材６３の回転位置を照光によって表示するようになっている。（例えば、特許文献１参照）
【００１１】
このような照光付回転型電気部品においては、操作部５４の回転位置を表示するために、多数のＬＥＤチップ６０を必要とし、コスト高になると共に、ＬＥＤチップ６０の取付に多くの手間がかかり、生産性が悪いものであった。
【００１２】
また、ＬＥＤチップ６０の点灯が回転検出ユニット５１の検出結果によって切り換えられるようになっているため、回転検出ユニット５１とは別に、ＬＥＤチップ６０を点灯させるための制御手段（駆動回路）を必要とし、従って、照光付回転型電気部品を用いた装置全体の構成が複雑となって、コスト高になる。
【００１３】
【特許文献１】
特開平８−１９５１４２号公報
【００１４】
【発明が解決しようとする課題】
従来の照光付回転型電気部品は、操作部５４の回転位置を表示するために、多数のＬＥＤチップ６０を必要とし、コスト高になると共に、ＬＥＤチップ６０の取付に多くの手間がかかり、生産性が悪いという問題がある。
また、ＬＥＤチップ６０の点灯が回転検出ユニット５１の検出結果によって切り換えられるようになっているため、回転検出ユニット５１とは別に、ＬＥＤチップ６０を点灯させるための制御手段（駆動回路）を必要とし、従って、照光付回転型電気部品を用いた装置全体の構成が複雑となって、コスト高になるという問題がある。
【００１５】
そこで、本発明は安価で、生産性の良好な照光付回転型電気部品を提供することを目的とする。
【００１６】
【課題を解決するための手段】
上記課題を解決するための第１の解決手段として、操作部の回転により操作される回転検出ユニットと、この回転検出ユニットの前記操作部側に積層される照光ユニットとを備え、前記照光ユニットは、一対の固定接点が設けられたハウジングと、前記固定接点に摺接する一対の可動接点が設けられ、前記ハウジングに対して回転可能に取り付けられた回転体と、この回転体に取り付けられ、前記可動接点に端子が導通された１個の光源を有し、前記回転体が前記操作部と共に回転可能となして、前記光源が回転するようにした構成とした。
【００１７】
また、第２の解決手段として、前記光源を保持するホルダを有し、このホルダが前記回転体に取り付けられた構成とした。
また、第３の解決手段として、前記回転体には前記ホルダを抱持する抱持部が設けられ、前記ホルダが前記抱持部によって取り付けられた構成とした。
【００１８】
また、第４の解決手段として、前記回転体と前記ハウジングを組み合わせるための取付部材を有し、前記回転体と前記ハウジングが前記取付部材によって一体化されて、前記照光ユニットが形成された構成とした。
また、第５の解決手段として、前記照光ユニットの中央部に設けられた挿通孔には、前記回転検出ユニットの前記操作部が挿通されて、前記照光ユニットが前記回転検出ユニットのケース上に積層された構成とした。
【００１９】
また、第６の解決手段として、前記取付部材は、前記回転体と前記ハウジングを組み合わせるための第１の取付脚と、前記ケース側に延びて前記照光ユニットを取り付けるための第２の取付脚を有する構成とした。
また、第７の解決手段として、前記固定接点はバネ性のある金属材からなる摺動片で形成されると共に、前記可動接点は円弧状の金属板で形成され、前記可動接点には、前記端子が半田付けされた構成とした。
【００２０】
また、第８の解決手段として、前記操作部に取り付けられ、前記回転体と係合可能な操作部材を有し、前記回転体は、円周方向の長さの長い第１の係合部と、円周方向の長さの短い第２の係合部を有すると共に、前記操作部材は、円周方向の長さの長い第３の係合部と、円周方向の長さの短い第４の係合部を有し、前記第１，第３の係合部同士を係合すると共に、前記第２，第４の係合部同士を係合させるようにした構成とした。
また、第９の解決手段として、前記抱持部が一つの前記係合部として構成された。
【００２１】
【発明の実施の形態】
本発明の照光付回転型電気部品の図面を説明すると、図１は本発明の照光付回転型電気部品の斜視図、図２は本発明の照光付回転型電気部品に係り、光源の取付状態を示す断面図、図３は本発明の照光付回転型電気部品に係り、操作部材の取付状態を示す断面図である。
【００２２】
また、図４は本発明の照光付回転型電気部品に係り、操作部材を取り去った状態の斜視図、図５は本発明の照光付回転型電気部品に係り、照光ユニットの分解斜視図、図６は本発明の照光付回転型電気部品に係り、照光ユニットを上方から見た斜視図、図７は本発明の照光付回転型電気部品に係り、ハウジングと取付部材を取り去った状態で、照光ユニットを下方から見た斜視図である。
【００２３】
次に、本発明の照光付回転型電気部品の構成を図１〜図７に基づいて説明すると、ケース１は、合成樹脂の成型品からなる下ケース２と、合成樹脂の成型品からなる上ケース３とで構成されている。
【００２４】
下ケース２は、軸を構成する円筒の筒状部２ａと、この筒状部２ａの下端部から外方に延びるリング状の底壁２ｂと、この底壁２ｂの外周部から上方に延びる筒状の側壁２ｃとを有し、また、上ケース３は、中央部に孔３ａを有するリング状の上壁３ｂと、この上壁３ｂの外周部から下方に延びる筒状の側壁３ｃと、上壁３ｂの上面から上方に突出するリング状の凸部３ｄを有する。
【００２５】
そして、上ケース３の中央部の孔３ａには、筒状部２ａが挿通された状態で、側壁２ｃ、３ｃの先端同士が当接され、ここでは図示しないが、下ケース２と上ケース３とは、金属からなる取付板によって両者が結合されて、ケース１が形成されている。
【００２６】
バネ性のある金属板からなる固定接点４は、バネ性のある接点部４ａと、この接点部４ａに接続された引出端子４ｂを有し、この固定接点４は、ケース１内に接点部４ａが位置すると共に、引出端子４ｂをケース１外に突出した状態で、ケース１に取り付けられている。
なお、接点部４ａは、電気的に独立して３本設けられており、図２では、このうち２本の接点部４ａを図示している。
【００２７】
絶縁材からなる回転板５は、一面にコードパターン（図示せず）が形成されており、この回転板５は、ケース１内に回転可能に収納され、コードパターンに接点部４ａが摺接するようになっている。
【００２８】
合成樹脂の成型品からなる円筒状の操作部６は、下端部に設けられた係合爪部６ａと、上端部に設けられた取付爪部６ｂと、中間部から外方に突出する突起６ｃを有する。
この操作部６は、その中心部に筒状部２ａが挿入され、突起６ｃが凸部３ｄ上に位置した状態で、係合爪部６ａが回転板５にスナップ止めされて取り付けられている。
【００２９】
そして、操作部６は、筒状部２ａを軸として回転可能となると共に、操作部６が回転した時、回転板５が回転して、コードパターンと固定接点４との間で回転検出（電気的な信号の出力）が行われ、このような構成によって、エンコーダからなる回転検出ユニットＫが形成されている。
【００３０】
なお、コードパターンを設けた回転板５を可動側として説明したが、これを固定側とすると共に、固定接点４を可動側としても良い。
また、回転検出ユニットＫは、可変抵抗器等のエンコーダ以外の電気部品を使用しても良い。
【００３１】
合成樹脂の成型品からなるリング状のハウジング７は、中心部に挿通孔７ａを有し、断面がＵ字状で平面視リング状に形成された基体７ｂと、この基体７ｂの外側部に間隔をおいて設けられた複数個の凹部７ｃと、基体７ｂの溝内に設けられた一対のストッパー部７ｄと、基体７ｂの上面に設けられた凹部からなる収納部７ｅとを有する。
【００３２】
バネ性のある金属材からなる一対の固定接点８は、絶縁材からなる支持体９に埋設して固定され、支持体９から横方向に延びる摺動片８ａと、支持体９から下方に延びる引出端子８ｂを有する。
この固定接点８を取り付けた支持体９は、ハウジング７の一対のストッパー部７ｄ間に設けられた収納部７ｅ内に位置して取り付けられており、そして、支持体９が取り付けられた際、摺動片８ａがハウジング７の溝内に位置し、引出端子８ｂがハウジング７の外側部から下方に延びた状態となっている。
【００３３】
合成樹脂の成型品からなるリング状の回転体１０は、上面の全外周部に設けられた段差部１０ａと、厚肉部の上面から上方に突出して設けられた抱持部１０ｂと、この抱持部１０ｂの中央部に設けられた凹部からなる圧入部１０ｃと、この圧入部１０ｃの底部に設けられた一対の孔１０ｄ（図７参照）と、中心を挟んで抱持部１０ｂと対称の位置に設けられた一対の突起１０ｅと、孔１０ｄの両側で、下面に設けられたストッパー部１０ｆを有する。
【００３４】
また、図６に示すように、上方に突出する抱持部１０ｂは、円周方向に延びて形成されて、比較的長さの長いＡ１（角度の大きい）第１の係合部として構成されると共に、一対の突起１０ｅは、円周方向に延びて形成されて、比較的長さの短いＡ２（角度の小さい）第２の係合部として構成されている。
【００３５】
なお、第１，第２の係合部は、中心を挟んで互いに対向する位置に設けたもので説明したが、第１，第２の係合部は、中心に対して非対称な位置に設けても良く、また、第１，第２の係合部は、突起状部で構成したが、凹状部で構成しても良い。
【００３６】
金属板等の導電体からなる円弧状の一対の可動接点１１は、回転体１０の下面に互いに並設された状態で設けられ、一対の可動接点１１のそれぞれの一端は、孔１０ｄまで延びて形成されている。
そして、可動接点１１を設けた回転体１０は、可動接点１１側を下方にして、ハウジング７の溝内に収納され、一対の可動接点１１は、固定接点８の摺動片８ａに接触すると共に、回転体１０は、ハウジング７に対して回転可能となり、この回転動作は、ストッパー部１０ｆがストッパー部７ｄに係合するまで行われるようになっている。
【００３７】
合成樹脂の成型品からなるホルダ１２は、外形が圧入部１０ｃと同等の形状を有すると共に、中央部に凹部からなる挟持部１２ａが設けられ、このホルダ１２は、圧入部１０ｃに圧入されて、抱持部１０ｂに取り付けられている。
【００３８】
ＬＥＤ等からなる光源１３は、照光部１３ａと、この照光部１３ａから導出された一対の端子１３ｂを有し、この光源１３は、ホルダ１２の挟持部１２ａで挟持されて取り付けられると共に、端子１３ｂは、孔１０ｄに挿通され、先端部が可動接点１１に半田付けされて、電気的に導通した状態となっている。
従って、光源１３は、端子１３ｂから可動接点１１，摺動片８ａ、及び引出端子８ｂを介して外部に導出されるようになる。
【００３９】
金属板からな取付部材１４は、リング状の押さえ部１４ａと、この押さえ部１４ａの外周部から下方に折り曲げられた比較的短い複数個の第１の取付脚１４ｂと、押さえ部１４ａの外周部から下方に折り曲げられた比較的長い複数個の第２の取付脚１４ｃを有する。
【００４０】
この取付部材１４は、押さえ部１４ａが回転体１０の段差部１０ａ上に載置され、第１の取付脚１４ｂを回転体１０とハウジング７の外側部に位置した状態で、第１の取付脚１４ｂの先端部をハウジング７の下面側に折り曲げると、回転体１０とハウジング７とが一体化されて、照光ユニットＳが形成される。
【００４１】
このように構成された照光ユニットＳは、回転体１０がハウジング７と取付部材１４との間に挟まれた状態で、回転可能になると共に、回転体１０の回転に伴って、ホルダ１２と光源１３も回転するようになっている。
【００４２】
また、このような照光ユニットＳは、挿通孔７ａに操作部６が挿通され、ハウジング７が上ケース３上に載置されて、ケース１上に積層されて配置される。
この時、引出端子８ｂと第２の取付脚１４ｃは、ケース１の外側部を通って下方に突出している。
【００４３】
合成樹脂の成型品からなる操作部材１５は、中央部に孔１５ａを有するリング状の摘み部１５ｂと、この摘み部１５ｂから下方に延びる筒状の脚部１５ｃと、この脚部１５ｃの内側に設けられた係止部１５ｄと、抱持部（第１の係合部）１０ｂに対応する位置で、脚部１５ｃに設けられた筒状の第３の係合部１５ｅと、突起（第２の係合部）１０ｅに対応する位置で、脚部１５ｃに設けられた凹部からなる第４の係合部１５ｆを有する。
【００４４】
この操作部材１５は、筒状の脚部１５ｃ内に操作部６が挿入されて、係止部１５ｄが取付爪部６ｂに係止するようにスナップ止めされると、操作部材１５によって操作部６が回転されるようになる。
【００４５】
また、操作部材１５が取り付けられると、筒状の第３の係合部１５ｅは、抱持部１０ｂ、ホルダ１２，及び照光部１３ａの外周部を覆うと共に、第３の係合部１５ｅの内面が抱持部（第１の係合部）１０ｂの円周方向の端面と係合し、また、凹部からな第４の係合部１５ｆ内には、突起（第２の係合部）１０ｅが位置して、第４の係合部１５ｆの内面が突起（第２の係合部）１０ｅの円周方向の端面と係合し、その結果、操作部材１５の回転によって、第３，第４の係合部１５ｅ、１５ｆが抱持部（第１の係合部）１０ｂと突起（第２の係合部）１０ｅを引っかけて、回転体１０を回転するようになる。
【００４６】
なお、第３，第４の係合部１５ｅ、１５ｆは、凹状部からなる係合部で構成されたもので説明したが、凸状部から係合で構成しても良い。
【００４７】
また、操作部材１５は、照光部１３ａの近傍に位置する側部や上部において、透明、或いは半透明の透光性のある樹脂が設けられて、その箇所から光を目視するようになっているが、その他の部分は、光の漏れを無くするために、黒等の不透光性の樹脂で形成されている。
【００４８】
このような構成を有する照光付回転型電気部品は、ここでは図示しないが、導電パターンを有するプリント基板上に載置されて、引出端子４ｂ、８ｂと第２の取付脚１４ｃがプリント基板に半田付けされて、取付と配線が行われている。
【００４９】
次に、このような構成を有する照光付回転型電気部品の動作を説明すると、先ず、操作部材１５を回転する。
すると、操作部６を介して回転板５が回転して接点の切り換を行い、これによって、回転検出（電気的な信号の出力）が行われると共に、操作部材１５と共に回転体１０、及び光源１３が回転する。
【００５０】
そして、一対の可動接点１１は、固定接点８に常時接触した状態で回転するため、光源１３は点灯した状態で回転し、その結果、１個の光源１３によって、操作部材１５の回転位置を照光によって表示するようになっている。
また、操作部材１５の回転は、ストッパー部１０ｆがストッパー部７ｄに係合するまで行われるようになり、そして、反対方向に回転すると、ストッパーが外れて、操作部材１５の回転が可能となる。
【００５１】
なお、上述した本発明の実施形態においては、固定接点８を摺動片８ａを有するもの、可動接点１１を金属板等からなる円弧状のもので照光ユニットＳを説明したが、本発明はこれに限られず、固定接点を円弧状をなした一対の金属板等で形成し、可動接点側をバネ性を有する摺動片によって形成し、両接点同士が常時導通するようなものであっても良い。
【００５２】
【発明の効果】
本発明の照光付回転型電気部品は、操作部の回転により操作される回転検出ユニットと、この回転検出ユニットの操作部側に積層される照光ユニットとを備え、照光ユニットは、一対の固定接点が設けられたハウジングと、固定接点に摺接する一対の可動接点が設けられ、ハウジングに対して回転可能に取り付けられた回転体と、この回転体に取り付けられ、可動接点に端子が導通された１個の光源を有し、回転体が操作部と共に回転可能となして、光源が回転するようにした構成とした。
このように、１個の光源で構成すると、従来に比して部品点数が少なく、安価で、生産性の良好なものが得られる。
また、照光ユニットは、可動接点と固定接点とが導通状態で、光源を回転するようにしたため、光源による照光位置を変えるための特別な制御手段を必要とせず、従って、照光付回転型電気部品を用いた装置全体の簡略化、低コスト化を図ることができる。
また、回転検出ユニットの回転角度が例えば、１２０度、１８０度、２７０度等、異なる要求のものがある場合でも、最大角度の回転検出ユニットのものに照光ユニットの回転角度を合わせておけば、各種の角度要求に対応することができる。
【００５３】
また、光源を保持するホルダを有し、このホルダが回転体に取り付けられたため、光源の確実な保持ができて、光源の取付の安定したものが提供できる。
また、回転中心から光源（照光位置）までの距離に異なる要求があった場合でも、ホルダを変更するだけで、その要求に対応することができる。
【００５４】
また、回転体にはホルダを抱持する抱持部が設けられ、ホルダが抱持部によって取り付けられたため、ホルダの確実な保持ができて、ホルダの取付の安定したものが得られる。
【００５５】
また、回転体と前記ハウジングを組み合わせるための取付部材を有し、回転体とハウジングが取付部材によって一体化されて、照光ユニットが形成されたため、照光ユニットを単一にできて、照光ユニットの回転検出ユニットへの組み込みの容易なものが得られる。
【００５６】
また、照光ユニットの中央部に設けられた挿通孔には、回転検出ユニットの操作部が挿通されて、照光ユニットが回転検出ユニットのケース上に積層されたため、照光ユニットの回転検出ユニットへの組み込みが簡単、且つ確実で、生産性の良好なものが得られる。
【００５７】
また、取付部材は、回転体とハウジングを組み合わせるための第１の取付脚と、ケース側に延びて照光ユニットを取り付けるための第２の取付脚を有するため、取付部材の構成が簡単で、生産性が良く、且つ、一つの取付部材で、回転体とハウジングの組み合わせと、照光ユニットのプリント基板への取付を行うことができる。
【００５８】
また、固定接点はバネ性ある金属材からなる摺動片で形成されると共に、可動接点は円弧状の金属板で形成され、可動接点には、端子が半田付けされたため、端子の取付が簡単で、生産性、及び信頼性の良好なものが得られる。
【００５９】
また、操作部に取り付けられ、回転体と係合可能な操作部材を有し、回転体は、円周方向の長さの長い第１の係合部と、円周方向の長さの短い第２の係合部を有すると共に、操作部材は、円周方向の長さの長い第３の係合部と、円周方向の長さの短い第４の係合部を有し、第１，第３の係合部同士を係合すると共に、第２，第４の係合部同士を係合させるようにしたため、回転体と操作部材の組み合わせる位置が確実になると共に、２カ所での係合によって、操作部材の回転体への回転伝達を確実に行うことができる。
また、円周方向の長さの異なる第１と第２の係合部を回転体に設けたため、両係合部が対向する位置にあっても、操作部材を回転体に誤装着することを防止できる。
【００６０】
また、抱持部が一つの係合部として構成されたため、抱持部が係合部を兼ねて、構成の簡単なものが得られる。
【図面の簡単な説明】
【図１】本発明の照光付回転型電気部品の斜視図。
【図２】本発明の照光付回転型電気部品に係り、光源の取付状態を示す断面図。
【図３】本発明の照光付回転型電気部品に係り、操作部材の取付状態を示す断面図。
【図４】本発明の照光付回転型電気部品に係り、操作部材を取り去った状態の斜視図。
【図５】本発明の照光付回転型電気部品に係り、照光ユニットの分解斜視図。
【図６】本発明の照光付回転型電気部品に係り、照光ユニットを上方から見た斜視図。
【図７】本発明の照光付回転型電気部品に係り、ハウジングと取付部材を取り去った状態で、照光ユニットを下方から見た斜視図。
【図８】従来の照光付回転型電気部品を取り付けた状態を示す要部断面図。
【図９】従来の照光付回転型電気部品の分解斜視図。
【図１０】従来の照光付回転型電気部品に係り、照光ユニットの一部を切り欠いた平面図。
【符号の説明】
１  ケース
２  下ケース
２ａ  筒状部
２ｂ  底壁
２ｃ  側壁
３  上ケース
３ａ  孔
３ｂ  上壁
３ｃ  側壁
３ｄ  凸部
４  固定接点
４ａ  接点部
４ｂ  引出端子
５  回転板
６  操作部
６ａ  係合爪部
６ｂ  取付爪部
６ｃ  突起
Ｋ  回転検出ユニット
７  ハウジング
７ａ  挿通孔
７ｂ  基体
７ｃ  凹部
７ｄ  ストッパー部
７ｅ  収納部
８  固定接点
８ａ  摺動片
８ｂ  引出端子
９  支持体
１０  回転体
１０ａ  段差部
１０ｂ  抱持部（第１の係合部）
１０ｃ  圧入部
１０ｄ  孔
１０ｅ  突起（第２の係合部）
１０ｆ  ストッパー部
１１  可動接点
１２  ホルダ
１２ａ  挟持部
１３  光源
１３ａ  照光部
１３ｂ  端子
１４  取付部材
１４ａ  押さえ部
１４ｂ  第１の取付脚
１４ｃ  第２の取付脚
Ｓ  照光ユニット
１５  操作部材
１５ａ  孔
１５ｂ  摘み部
１５ｃ  脚部
１５ｄ  係止部
１５ｅ  第３の係合部
１５ｆ  第４の係合部
【図１】
2004265825.tif 000003
【図２】
2004265825.tif 000004
【図３】
2004265825.tif 000005
【図４】
2004265825.tif 000006
【図５】
2004265825.tif 000007
【図６】
2004265825.tif 000008
【図７】
2004265825.tif 000009
【図８】
2004265825.tif 000010
【図９】
2004265825.tif 000011
【図１０】
2004265825.tif 000012